(57)【要約】【課題】フィルタを回転させることで、フィルタに付着した油や埃などの汚れを除去する方式のレンジフードにおいて、フィルタが回転することによる遠心力だけでは十分に汚れを除去することが困難である。【解決手段】フィルタ１０の外円周に気泡発生手段１４を設けることで、フィルタ１０が回転しながら洗浄水槽１２の水１３の中に気泡発生手段１４が突入するときに、気泡発生手段１４が水面上付近の空気を水１３の中へ巻き込むことにより、水１３の中に気泡を生じさせてフィルタ１０の表面に付着した油や埃などの汚れを落とす作用をもたらす。【選択図】図２
2012167917.tif 000002
【特許請求の範囲】
【請求項１】
空気を取り込む吸込口と、屋外に連通した吐出口と、前記吸込口と前記吐出口を結ぶ通風路内に排気送風手段と、前記吸込口と前記送風手段の間に駆動手段によって回転する円盤状のフィルタと、前記フィルタを包囲する洗浄水槽を備え、前記フィルタが回転しているときに水中で気泡を発生させる気泡発生手段を前記フィルタに設けたことを特徴とするレンジフード。
【請求項２】
気泡発生手段が、フィルタの円周方向と平行に貫通する穴を有した部材であり、前記部材をフィルタの面上に設けたことを特徴とする請求項１記載のレンジフード。
【請求項３】
気泡発生手段が、中空円筒形状であることを特徴とする請求項２記載のレンジフード。
【請求項４】
中空円筒形状の気泡発生手段の、円筒部の長さが円筒部の直径の１倍から２０倍の間であることを特徴とする請求項３記載のレンジフード。
【請求項５】
気泡発生手段を、フィルタの外周に沿って間隔を保ちながら複数設けたことを特徴とする請求項１から４のいずれかに記載のレンジフード。
【発明の詳細な説明】
【技術分野】
【０００１】
本発明は、レンジフードに取り付けるフィルタの汚れ除去に関するものである。
【背景技術】
【０００２】
従来のレンジフードには調理で発生する油煙や埃等を捕集する目的として、フィルタもしくはバッフル板などが取り付けられている。このフィルタやバッフル板は、付着する油汚れが蓄積すると、捕集性能が低下したり油垂れが生じたりするので、定期的に掃除する必要がある。
【０００３】
一方で、フィルタを掃除する手間を軽減する目的でフィルタを自動的に浄化する手段として、フィルタに駆動手段を取り付けて回転させることにより、遠心力で汚れを除去する方法がある（例えば、特許文献１参照）。
【０００４】
以下、その排気装置について、図８を参照しながら説明する。
【０００５】
図８は、従来のレンジフード１００の構成図である。図８に示すように、汚れた空気１０１は、吸込口１０２を通過して排気ファン１０３の前方に配置されたフィルタ１０４を通過し、このフィルタ１０４を回転させる駆動装置１０５と、フィルタ１０４の汚れを検知するセンサー１０６とを備えることで、フィルタ１０４の汚れを検知してフィルタ１０４を駆動装置１０５で回転させ、汚れを遠心力で除去させている。
【先行技術文献】
【特許文献】
【０００６】
【特許文献１】特開平３−１６４６３９号公報
【発明の概要】
【発明が解決しようとする課題】
【０００７】
このような従来のレンジフードでは、油等の汚れがフィルタに付着した状態で乾燥すると、遠心力だけでは十分に除去するのが困難であり、次第にフィルタが目詰まりを起こし、性能が低下するという課題があった。
【０００８】
本発明は、このような従来の課題を解決するものであり、フィルタを取り外すことなく、かつ、手間なくフィルタに付着した油や埃などの汚れを効果的に除去できることを特徴としたレンジフードを提供することを目的としている。
【課題を解決するための手段】
【０００９】
本発明のレンジフードは上記目的を達成するために、空気を取り込む吸込口、屋外に連通した吐出口、前記吸込口と前記吐出口を結ぶ通風路内に排気装置、前記吸込口と前記排気装置の間に駆動手段によって回転する円盤状のフィルタと、前記フィルタを洗浄するための洗浄水槽を備えたものである。前記レンジフードの運転状態がフィルタ洗浄動作の状態にあるとき、前記洗浄水槽に溜められた水の中において気泡を発生することを可能とする、気泡発生手段を前記フィルタに設けたことを特徴とするものである。
【発明の効果】
【００１０】
本発明のレンジフードのフィルタは、フィルタ駆動手段によってフィルタを回転させながら洗浄するものである。円盤面を垂直に立てたフィルタの中心を通る水平線よりも下の部分を覆うように設けられた洗浄水槽の中に水を溜め、フィルタの中心を通る水平線よりも下方部分が水中に浸る状態で、フィルタ駆動手段によってフィルタを回転させるものである。フィルタの外円周には、水中において気泡を発生させる気泡発生手段を設け、フィルタが回転しながら水中で発生する気泡が、フィルタ表面に付着している油や埃などの汚れに衝突する。この衝突によって、汚れがフィルタから剥離し、フィルタが水中において洗浄されるという効果が得られる。
【図面の簡単な説明】
【００１１】
【図１】本発明の実施の形態１におけるレンジフードの図
【図２】本発明の実施の形態１におけるフィルタの正面図
【図３】本発明の実施の形態１におけるフィルタの側面図
【図４】本発明の実施の形態２におけるフィルタの側面図
【図５】本発明の実施の形態３におけるフィルタの正面図
【図６】本発明の実施の形態４におけるフィルタの正面図
【図７】本発明の実施の形態４におけるフィルタの正面図
【図８】従来のレンジフードの側面図
【発明を実施するための形態】
【００１２】
以下、本発明の実施の形態について図面を参照しながら説明する。
【００１３】
（実施の形態１）
図１に示すように、調理器（図示せず）の上方または周囲に、調理にて発生した油煙や周囲に浮遊する埃である微小物を捕集する吸込口１を設けたフード２を設置し、フード２には、天面に屋外と連通したダクト３を介して連通する吐出口４を設けている。内部には排気装置５を包括した送風ケーシング６を設け、この排気装置５を介し吸込口１と吐出口４を結ぶ通風路７を形成している。また、フード２内の吸込口１近傍には平坦な整流板８が設けられ、吸込口１の下流側となる排気装置５の前面に駆動手段９を連結した油や埃を捕集するための円盤状のフィルタ１０を設け、フィルタ１０外縁にはフィルタ１０を覆う洗浄ケーシング１１を有している。
【００１４】
フィルタ１０の材質は、一般的に不燃性であるアルミニウムなどの金属が用いられる。また、油や埃などの汚れを捕集するため、パンチング板のような開口部を設けた薄い板状である。フィルタ１０は、モータ等の駆動手段９と接続されていて、フィルタ１０を洗浄するときには、駆動手段９が回転し、フィルタ１０の外縁を覆う洗浄ケーシングの下半分を構成する洗浄水槽１２に溜められた水１３にフィルタ１０が半分ほど浸ることによってフィルタ１０を洗浄するものである。
【００１５】
図２はフィルタ１０の正面図、図３はフィルタ１０の側面図である。洗浄ケーシング１１の下半分を構成する洗浄水槽１２は、フィルタ１０を水１３で洗浄するときにのみ貯水するためのものである。
【００１６】
フィルタ１０の外円周には正面側、すなわち通風路７の上流側に気泡発生手段１４が設けられている。気泡発生手段１４は、フィルタ１０の表面に設けられた突起物などの形態が考えられ、フィルタ１０が例えば２０ｒｐｍまたはそれ以上の速度で回転しながら洗浄水槽１２の水１３の中に気泡発生手段１４が突入するときに、気泡発生手段１４が水面上付近の空気を水中へ巻き込むなどの現象により、水１３の中に気泡を生じさせるものであればどんな形状でもよい。図２、図３において、気泡発生手段１４の形状は一例として三角柱で示している。
【００１７】
これによって生じた気泡は、水１３の中をフィルタ１０の正面側表面に沿って上昇して水面上に達する。このときに、フィルタ１０の表面上に付着している油や埃などの汚れに気泡が衝突すると、その衝撃で汚れはフィルタ１０の表面から剥がれて水１３の中に放たれ、フィルタ１０の表面が洗浄されるという効果が得られる。
【００１８】
（実施の形態２）
図４は、フィルタ１０の円周方向と平行に貫通する空洞２２を有した気泡発生手段２１を、フィルタ１０の側面から見た図である。
【００１９】
空洞２２を有することにより、フィルタ１０が回転しながら洗浄水槽１２の水１３に気泡発生手段２１が突入した後に、空洞２２に入っていた空気が水１３の中において放出され、気泡となってフィルタ１０の表面に沿って上昇し、フィルタ１０に付着している油や埃などの汚れに衝突する。空洞２２を有していない場合に比べてより確実に空気を水１３の中に引き入れるため、回転速度が小さくても水１３の中で気泡を発生させることが可能になり、フィルタ１０の洗浄効率が高まる。
【００２０】
（実施の形態３）
図５は、形状が中空円筒である気泡発生手段３１を設けたフィルタ１０の正面図である。気泡発生手段３１は、フィルタ１０の円周方向に沿うように、ある程度の長さをもって延びた中空円筒形である。円筒部が長いことによって、中空部分の体積が増すため、より多くの気泡を水１３の中で発生させることが可能となり、フィルタ１０の洗浄効果が高まる。
【００２１】
気泡発生手段３１の円筒部は直線的である方が製造上は都合がよいが、円筒部の長さが大きいときは、気泡発生手段３１がフィルタ１０の最外周からはみ出すため、円筒部の中心軸はフィルタ１０の円周と同じ曲率を持つ方が、フィルタ１０からはみ出すことがなく、概観がよい。
【００２２】
気泡発生手段３１の円筒部は、長すぎると、円筒内部の抵抗が大きくなり、円筒内部の空気が水１３の中に放出されなくなる。フィルタ１０の回転速度にも依存するが、２０ｒｐｍ〜２００ｒｐｍの実用的な範囲の回転数において、円筒部の長さは、中空円筒の内径の２０倍以下がよい。
【００２３】
（実施の形態４）
実施の形態４は、気泡発生手段４１をフィルタ１０の円周方向、あるいは半径方向に複数設けた例である。
【００２４】
図６は、気泡発生手段４１を円周方向に等間隔に８個設けたフィルタ１０の正面図である。
【００２５】
フィルタ１０の円周に沿って、等間隔で気泡発生手段４１を８個配列することにより、フィルタ１０が回転しているときに、気泡発生手段４１が次々と水１３の中に突入して気泡を発生させる。このとき、水１３の中に下方部分が浸っているフィルタ１０において、その表面付近には絶えず気泡が存在する状態となり、フィルタ１０に付着した油や埃などの汚れに気泡が衝突する回数が多くなるため、フィルタ１０の洗浄効果が高まる。気泡発生手段４１からは、気泡を放出するための空間が必要なため、隣り合う気泡発生手段４１は１０ｍｍ以上の間隔を設けるものとする。
【００２６】
また、本例では気泡発生手段４１を８個配列しているが、配列の間隔が１０ｍｍ以上設けてあれば、８個より多くても少なくてもよい。
【００２７】
図７は、気泡発生手段５１を、フィルタ１０の半径方向に３段設けたフィルタ１０の正面図である。これによって、フィルタ１０の半径方向に並んだ３段の気泡発生手段５１が水１３の中に突入したときに、並んだ段数分の気泡発生チャンネルがあるため、より多くの気泡を同時に発生させることが可能となる。また、図６の場合と同様に、フィルタ１０の円周に沿っても、ある間隔で複数配列させることで、さらに多数の気泡を発生させ、フィルタ１０の洗浄効果は一層高めることが可能である。
【産業上の利用可能性】
【００２８】
本発明にかかるフィルタは、付着した油汚れを容易に除去することが求められるレンジフードなどの油煙除去装置のフィルタとして有用である。
【符号の説明】
【００２９】
１  吸込口
２  フード
３  ダクト
４  吐出口
５  排気装置
６  送風ケーシング
７  通風路
８  整流板
９  駆動手段
１０  フィルタ
１１  洗浄ケーシング
１２  洗浄水槽
１３  水
１４  気泡発生手段
２１  気泡発生手段
２２  空洞
３１  気泡発生手段
４１  気泡発生手段
５１  気泡発生手段
１００  レンジフード
１０１  汚れた空気
１０２  吸込口
１０３  排気ファン
１０４  フィルタ
１０５  駆動装置
１０６  センサー
【図１】
2012167917.tif 000003
【図２】
2012167917.tif 000004
【図３】
2012167917.tif 000005
【図４】
2012167917.tif 000006
【図５】
2012167917.tif 000007
【図６】
2012167917.tif 000008
【図７】
2012167917.tif 000009
【図８】
2012167917.tif 000010